(57)【要約】【課題】バンドが緩むことなく身体にフィットさせることができるバックルを提供する。【解決手段】バックルの中心に位置する中心板部３とこれと一体に結合され、バンドの一端部を着脱自在に固定する第１固定板部４からなる本体２と、この本体２の中心板部３に着脱自在に係合しバンドの他端部を着脱自在に固定する第２固定板部５とからなり、前記中心板部３内にフック受け機構ｍを備え、このフック受け機構ｍは、中心板部３の上下に突出して指操作により回動する回動板２４、２４を備え、この回動板２４は第２固定板部５の端面から突出するフック部材２２と協働し、身体にバンドが緩むことなくフィットさせることができる。【選択図】図５
2014171683.tif 000002
【特許請求の範囲】
【請求項１】
板状の本体を有し、この本体は使用時に中心に位置する中心板部とこの中心板部と一体に形成されバンドの一端部を着脱自在に固定するために中心部板から片側横方向に張出した片側バンド固定板部とからなり、前記中心板部の端面を通して反対側横方向から反対側バンド固定板部が着脱自在に係合し、前記反対側バンド固定板部は、端面にフック部材を有するとともに前記バンドの他端部を着脱自在に固定し、前記中心板部は、その中に前記フック部材を固定したり解放したりするフック受け機構を備え、このフック受け機構は、前記中心板部の上端面と下端面からその一部が上下に突出し指操作により回動して前記フック部材を係止したり解放したりする回動部材を備えていることを特徴とするバックル。
【請求項２】
前記中心板部の正面には、交換可能に飾り板が付着されることを特徴とする請求項１記載のバックル。
【発明の詳細な説明】
【技術分野】
【０００１】
本発明は、ワンタッチで着脱自在にできるバックルに関する。
【背景技術】
【０００２】
本件出願人は、互いに着脱自在に重ねられる板状の雄板体と雌板体とからなり、前記両板体はバンドの端部を着脱自在に固定するバンド固定部をそれぞれ有するとともに、これら固定部からそれぞれ相手側のバンド固定部に伸びて互いに重ねられる係合板部を有し、前記雄板体の係合板部にフック部材を設け、前記雌板体の係合板部には、前記フック部材と係合するフック受け部を形成し、前記雄板体と雌板体のうち、外側に位置する板体の係合板部外面に交換可能な飾り板を付着せしめてなるバックルについて既に開示している。
【先行技術文献】
【特許文献】
【０００３】
【特許文献１】特開２０１２−１８７１９１
【発明の概要】
【発明が解決しようとする課題】
【０００４】
しかしながら、前記バックルおいて、雄板体２と雌板体３とを重ねて係止するようにしているので、バックルに段差ができ、その段差を解消するために雄板体のバンド固定部５の側板部５ａ、５ｂを雌板体３のそれらよりも高く形成しなければならない。
【０００５】
更に、両板部を締結時に重ねるときに、両手で両板体２、３を十分に互いに重なる方向に引っ張ってフック部材ｆとフック受け穴ｒを係合せしめ、手を離すと、係合部分のガタのためバンドが緩む方向に引戻されるので締結後に身体に完全にフィットしていないことがある。
【０００６】
また、雄板体２の裏側に形成されているフック部材ｆと、雌板体３のフック受け穴ｒとの間のガタのため、バンドを緩く締めていると、両者の係合が外れてしまうという問題があった。
【課題を解決するための手段】
【０００７】
そこで、本発明のバックルは、板状の本体を有し、この本体は、使用時に中心に位置する中心板部とこの中心板部と一体に形成されバンドの一端部を着脱自在に固定するために中心部板から片側横方向に張出した片側バンド固定板部とからなり、前記中心板部には反対側横方向から反対側バンド固定板部が着脱自在に係合し、前記反対側バンド固定板部はその端面にフック部材を有するとともに前記バンドの他端部を着脱自在に固定し、前記中心板部は、その中に前記フック部材を固定したり解放したりするフック受け機構を備え、このフック受け機構は、前記中心板部の上端面と、下端面から上下に突出し指操作により回動して前記フック部材を係止したり解放したりする回動部材を備えている。
【０００８】
前記中心板部の正面には、交換可能に飾り板が付着されることが好ましい。
【発明の効果】
【０００９】
本発明のバックルにおいては、締結時に中心板部の片側端面を通して反対側バンド固定板部のフック部材がフック受け機構にバンドが締まる方向にのみ移動して着脱自在に支持されるので、バンドが緩むことなく身体にピッタリとフィットする。また、フック受け機構も上下からの指操作により固定開放が行われるようになっており、使用者の意思に反してバックルが外れることがない。
【図面の簡単な説明】
【００１０】
【図１】バックル締結時のバックル全体の上面図である。
【図２】飾り板を外した状態のバックルの正面図である。
【図３】飾り板の斜視図である。
【図４】中心板部の構造の一部を示す斜視図である。
【図５】バックル着脱図の斜視図である。
【図６】フック受け機構の正面図である。
【発明を実施するための形態】
【００１１】
図１、２、３において、本発明のバックル１は、厚板状の本体２を有し、この本体２は、バックル全体の中心に位置する中心板部３と、この中心板部３の一端面に固定された中心板部片側のバンドＢの一端を着脱自在に固定する第１固定板部４とを備えている。そして、前記中心板部３の他端面には、中心板部３の他側に位置し、バンドＢの他端を着脱自在に支持する第２固定板部５が着脱自在に取り付けられている。
【００１２】
前記バックル１の前面には、飾り板６が交換可能に付着され、この飾り板６は、図１、３に示すように、やや湾曲した湾曲前面６ａを有し、この湾曲前面６ａには、絵７（図３）が刻印され、飾り板６の後面中央部には、凹み８が形成され、この凹み８が前記中心板部３の突出前面３ａに係合している。この突出前面３ａは、図４に示すようなフレーム板９と、このフレーム板９の中央部分の凹み９ａ内に係合する磁性を有する金属板１０とで形成されている。
【００１３】
前記飾り板６の後面中央部分の凹み８の底面には、円形磁石１１、１１が取り付けられ、この磁石１１が前記金属板１０に付着することにより、飾り板６がバックル前面に着脱自在に固定され、交換希望時には、別の柄が刻印された飾り板が付着されるようになっている。なお、前記中心板部３に対して、左右の第１、第２固定板部４、５は、図１に示すように上から見て３°〜４°身体側に傾斜して身体の湾曲肌面にフィットするようになっている。
【００１４】
前記フレーム板９および金属板１０には、それぞれ整合する２つの開口９ｂ、１０ｂが形成され、この開口９ｂ、１０ｂには、小ねじ１２、１２が貫通され、この小ねじ１２の先端は、後述の図６に示すピン軸３３、３３に係合する。
【００１５】
前記第１、第２固定板部４、５の外側端部を通して、図５に示すように、バンドＢの両端部がそれぞれ挿入されて固定爪１３、１４によって着脱自在に固定される。前記固定爪１３、１４は中心板部３に対して対称に配置され、回転爪１３は、第１固定板部４の端部に取り付けられた軸１５、１５に対して回動自在に取り付けられ、噛み込み歯１６がバンドに食い込んでバンドＢの端部を第１固定板部４内に固定する。
【００１６】
なお、前記回転爪１３は噛み込み歯１６が形成された基部から伸びる舌片部１７を備え、舌片部１７の先端は身体側に湾曲し、回転爪１３をバンド固定位置から解放位置へ解放するときに指が引っ掛かり易くなっている。前記第１固定板部４の回転爪１３は、バンドＢを固定した固定位置状態を示し、第２固定板部の回転爪１４は解放位置状態を示し、前記回転爪１４は、軸１８、１８により回動自在に保持され、噛み込み歯２０と舌片部２１を有している。
【００１７】
前記第２固定板部５の中心板部３側の縦端面５ａの中央部分には、フック部材２２が固着され、このフック部材の先端部はハート形部分２２ａを有し、その上下には係合溝２３、２３が形成されている。
【００１８】
一方、前記中心板部３には、図６に示すようなフック受け機構ｍが形成され、このフック受け機構ｍは、上下に間隔を配して対向配置された回転板２４、２４を有し、この回転板２４、２４は前記ピン３３、３３にそれぞれ回動自在に互いに反対方向に同期して回動する。前記回転板２４、２４のピン軸３３、３３の一方側にはバネ受け部３４、３４をそれぞれ備え、これら両バネ受け３４、３４間に圧縮コイルバネ３５が支持され、前記回転板２４、２４の他方側には、係止爪３６、３６がそれぞれ対向して設けられ、この係止爪３６、３６は、前記フック部材２２の係止溝２３、２３に係合するようになっている。
【００１９】
また、前記回転板２４、２４の上下部分２４ａ、２４ａはそれぞれ中心板部３の上下の開口３ｂ、３ｂから上下に突出し、前記フック部材２２は、中心板部３の縦端面３Ｃに開口している開口３ｄを通ってフック受け機構ｍに係合する。
【００２０】
前記フック受け機構ｍがフック部材２２を解放しているときには、圧縮コイルバネ３５の作用により２つの係止爪３６、３６は接近しており、バックル締結時には、前記フック部材２２のハート部２２ａの上下の傾斜面が係止爪３６、３６に係合して回転板２４、２４を圧縮コイルバネ３５を圧縮しつつ互いに回転板２４、２４を反対方向に回動させつつ、係止爪３６、３６がフック部材２２の係止溝２３、２３に係合したときに回転板２４、２４は逆回転し、こうしてバックル１がしっかりと固定される。
【００２１】
バックル１の解放時に、回転板２４、２４の上下部分２４ａ、２４ａを上下から押圧して係止爪３６と係止溝２３との係合を解いて本体２と第２固定板部５とを離脱せしめる。この時、２つの回転板２４、２４を同時に押圧しなければ、フックが開放されないので何らかの衝撃で外れることがない。
【符号の説明】
【００２２】
１…バックル
２…本体
３…中心板部
４…第１固定板部
５、…第２固定板部
６…飾り板
１０…金属板
１３、１４…回転爪
２２…フック部材
２４…回転板
３５…圧縮コイルばね
３６…係止爪
【図１】
2014171683.tif 000003
【図２】
2014171683.tif 000004
【図３】
2014171683.tif 000005
【図４】
2014171683.tif 000006
【図５】
2014171683.tif 000007
【図６】
2014171683.tif 000008